(57)【要約】【課題】  ２つの制御パラメータを同時に設定することができる操作装置の提供。【解決手段】  本発明による操作装置１（又は２）は、２次元に延在する操作面を備える操作パネル１０（又は１１と２０）と、処理装置３０（又は３１）とを備え、処理装置は、ユーザ入力により指示される操作パネルの操作面上の２次元位置に基づいて、第１の制御パラメータが操作面上の第１の軸方向の位置に応じて設定され且つ第２の制御パラメータが操作面上の第２の軸方向の位置に応じて設定される態様で、車載機器を制御するための２つの独立した制御パラメータを同時に設定することを特徴とする。【選択図】  図４
2013014212.tif 000002
【特許請求の範囲】
【請求項１】
２次元に延在する操作面を備える操作パネルと、
処理装置とを備え、
前記処理装置は、ユーザ入力により指示される前記操作パネルの操作面上の２次元位置に基づいて、第１の制御パラメータが操作面上の第１の軸方向の位置に応じて設定され且つ第２の制御パラメータが操作面上の第２の軸方向の位置に応じて設定される態様で、車載機器を制御するための２つの独立した制御パラメータを同時に設定することを特徴とする、操作装置。
【請求項２】
空調装置を備える車両に搭載される請求項１に記載の操作装置であって、
前記第１の制御パラメータは、空調装置の送風量に関連し、
前記第２の制御パラメータは、空調装置の送風温度に関連する、操作装置。
【請求項３】
前記処理装置は、前記ユーザ入力により指示される前記操作パネルの操作面上の第１の軸方向の位置が右側又は上側になるほど前記空調装置の送風量が大きくなる態様で、前記第１の制御パラメータを設定すると共に、同ユーザ入力により指示される前記操作パネルの操作面上の第２の軸方向の位置が上側又は右側になるほど前記空調装置の送風温度が高くなる態様で、前記第２の制御パラメータを設定する、請求項２に記載の操作装置。
【請求項４】
前記操作パネルは、表示画面を一体に又は遠隔位置に備え、
前記処理装置は、前記操作パネルに係る表示画面において、前記ユーザ入力により指示される前記２次元位置に所定の情報表示を出力し、
前記所定の情報表示は、前記ユーザ入力により指示される前記２次元位置に応じて可変される、請求項１〜３のうちのいずれか１項に記載の操作装置。
【請求項５】
前記操作パネルは、表示画面を一体に又は遠隔位置に備え、
前記処理装置は、前記操作パネルに係る表示画面において、前記ユーザ入力により指示される前記２次元位置に所定の情報表示を出力し、
前記所定の情報表示は、前記ユーザ入力により指示される前記２次元位置に応じて設定される空調装置の送風量及び送風温度の少なくとも一方を直接的又は間接的に表す、請求項２又は３に記載の操作装置。
【請求項６】
前記所定の情報表示は、羽を模した表示を含み、
前記羽を模した表示は、前記ユーザ入力により指示される前記２次元位置に応じて設定される空調装置の送風量が大きいほどサイズが大きくなる態様で出力される、請求項５に記載の操作装置。
【請求項７】
前記所定の情報表示は、羽を模した表示であって、回転する表示を含み、
前記羽を模した表示は、前記ユーザ入力により指示される前記２次元位置に応じて設定される空調装置の送風量が大きいほど回転速度が速くなる態様で出力される、請求項５又は６に記載の操作装置。
【請求項８】
前記所定の情報表示は、羽を模した表示を含み、
前記羽を模した表示は、前記ユーザ入力により指示される前記２次元位置に応じて設定される空調装置の送風温度が高くなるほど赤色が濃くなり、空調装置の送風温度が低くなるほど青色が濃くなる態様で出力される、請求項５〜７のうちのいずれか１項に記載の操作装置。
【請求項９】
前記所定の情報表示は、前記ユーザ入力により指示される前記２次元位置に応じて設定される空調装置の送風温度を表す数字表示を含む、請求項４〜８のうちのいずれか１項に記載の操作装置。
【請求項１０】
前記操作パネルは、表示画面を一体に又は遠隔位置に備え、
前記処理装置は、前記操作パネルに係る表示画面に、所定の背景表示を出力し、
所定の背景表示は、前記操作パネルに係る表示画面上の第２の軸方向の位置が上側又は右側になるほど赤色が濃くなり、前記操作パネルに係る表示画面上の第２の軸方向の位置が下側又は左側になるほど青色が濃くなる態様で出力される、請求項３〜９のうちのいずれか１項に記載の操作装置。
【発明の詳細な説明】
【技術分野】
【０００１】
本発明は、２次元に延在する操作面を備える操作パネルと、操作パネルに接続される処理装置とを備える操作装置に関する。
【背景技術】
【０００２】
従来から、空調装置の風量の調整するためのタッチパネル上のスイッチと、送風温度の調整を行なうための温度設定ダイアルとが設けられる構成が知られている（例えば、特許文献１参照）。
【先行技術文献】
【特許文献】
【０００３】
【特許文献１】特開２００７−２６１３３５号公報
【発明の概要】
【発明が解決しようとする課題】
【０００４】
しかしながら、上記の特許文献１に記載の構成では、空調装置の所望の風量と所望の送風温度とを互いに独立して設定することができるものの、所望の風量と所望の送風温度を設定するためには、それぞれ個別に設けられたスイッチをそれぞれ操作しなければならず、手間がかかるという問題点がある。
【０００５】
そこで、本発明は、２つの制御パラメータを同時に設定することができる操作装置の提供を目的とする。
【課題を解決するための手段】
【０００６】
上記目的を達成するため、本発明の一局面によれば、２次元に延在する操作面を備える操作パネルと、
処理装置とを備え、
前記処理装置は、ユーザ入力により指示される前記操作パネルの操作面上の２次元位置に基づいて、第１の制御パラメータが操作面上の第１の軸方向の位置に応じて設定され且つ第２の制御パラメータが操作面上の第２の軸方向の位置に応じて設定される態様で、車載機器を制御するための２つの独立した制御パラメータを同時に設定することを特徴とする、操作装置が提供される。
【発明の効果】
【０００７】
本発明によれば、２つの制御パラメータを同時に設定することができる操作装置が得られる。
【図面の簡単な説明】
【０００８】
【図１】本発明の一実施例（実施例１）による車両用操作装置１のタッチ操作ディスプレイ１０の配置状態の一例を示す概略図である。
【図２】実施例１による車両用操作装置１の主要構成のブロック図である。
【図３】タッチ操作ディスプレイ１０の操作面を示す平面図であり、操作面上における２つの制御パラメータのマッピング方法の一例を示す図である。
【図４】タッチ操作ディスプレイ１０の表示画面に出力される操作画面の一例を示す平面図であり、情報表示７０の出力態様の一例を示す図である。
【図５】タッチ操作ディスプレイ１０の表示画面を示す平面図であり、表示画面上の背景表示７６の出力態様の一例を示す図である。
【図６】実施例１による処理装置３０により実現される風量・温度設定処理の一例を示すフローチャートである。
【図７】本実施例の車両用操作装置１の他の適用例を示す図である。
【図８】図７の適用例のブロック図である。
【図９】本適用例の処理装置３０により実現される主要処理の一例を示すフローチャートである。
【図１０】図９に示す処理に関連した説明図であり、図９に示す処理に関連したタッチ操作ディスプレイ１０及び表示ディスプレイ２０における画面の状態（画面の変化態様）の一例を示す図である。
【図１１】本発明の他の一実施例（実施例２）による車両用操作装置２のタッチパネル１１と表示ディスプレイ２０の配置状態の一例を示す概略図である。
【図１２】実施例２による車両用操作装置２の主要構成のブロック図である。
【図１３】実施例２による処理装置３１により実現される風量・温度設定処理の一例を示すフローチャートである。
【発明を実施するための形態】
【０００９】
以下、図面を参照して、本発明を実施するための最良の形態の説明を行う。
【００１０】
図１は、本発明の一実施例（実施例１）による車両用操作装置１のタッチ操作ディスプレイ１０の配置状態の一例を示す概略図である。図２は、本実施例１による車両用操作装置１の主要構成のブロック図である。
【００１１】
車両用操作装置１は、図２に示すように、タッチ操作ディスプレイ１０と、処理装置３０とを含む。
【００１２】
タッチ操作ディスプレイ１０は、表示機能に加えて、ユーザ（例えば運転者）によりタッチ操作を検出する機能を備える。タッチ操作を検出する原理は、任意であり、感圧式であってもよいし、静電式であってもよい。尚、タッチ操作は、人の手によるタッチ操作や、ペン（スタイラス）などの器具によるタッチ操作を含んでよい。
【００１３】
タッチ操作ディスプレイ１０は、図１に示すように、ユーザが操作しやすい位置、好ましくは、運転者が手を伸ばすだけで操作できるような位置に配置される。タッチ操作ディスプレイ１０は、例えば、センターコンソール部に配置されてよいし、インストルメントパネルに配置されてもよい。
【００１４】
処理装置３０は、図２に示すように、タッチ操作ディスプレイ１０に接続される。尚、この接続は、有線であっても無線であってもよく、また、直接的な態様であっても間接的な態様であってもよい。処理装置３０は、タッチ操作ディスプレイ１０上の表示の生成（描画）及び出力処理を行うと共に、タッチ操作ディスプレイ１０での各種操作に応じた各種機能を実現する処理を行う。処理装置３０は、例えばグラフィックボードや描画ＩＣを含んでよく、タッチ操作ディスプレイ１０における各種表示の生成・出力のための各種処理を行う。また、処理装置３０は、例えばマイクロコンピューターやＤＳＰ(digital  signal  processor)を含んでよく、タッチ操作ディスプレイ１０上での各種操作に応じた操作信号を生成・出力する。尚、処理装置３０の機能は、１つの専用の処理装置により実現されてもよいし、互いに異なる場所に配置された複数の処理装置により協動して実現されてもよい。例えば、処理装置３０の機能の一部又は全部は、エアコンＥＣＵやナビゲーションＥＣＵにより実現されてもよい。また、処理装置３０の機能の一部又は全部は、タッチ操作ディスプレイ１０に内蔵されてもよい。
【００１５】
図３は、タッチ操作ディスプレイ１０の操作面を示す平面図であり、操作面上における２つの制御パラメータのマッピング方法の一例を示す図である。
【００１６】
本実施例１では、タッチ操作ディスプレイ１０は、空調装置の風量及び温度設定用の操作パネルとして機能する。２つの制御パラメータは、風量（空調装置の送風量）と、温度（空調装置の送風温度）とにそれぞれ関連する。即ち、タッチ操作ディスプレイ１０は、空調装置の風量と温度を設定・調整するために操作される。
【００１７】
タッチ操作ディスプレイ１０は、図３に示すように、２次元に延在する操作面を備え、風量と温度は、それぞれの軸方向にマッピングされ、全体として、２次元マップが画成される。但し、操作面は、縁部に不活性部位（感応しない部位）が設定されてもよい。即ち、操作面は、縁部を除く領域が実効領域として使用されてもよい。
【００１８】
具体的には、図３に示す例では、縦軸には、風量の強弱が、横軸には、温度の高低が、それぞれマッピングされる。この際、好ましくは、風量は、図３に示すように、タッチ操作ディスプレイ１０の操作面において、上側に行くほど強くなり、下側に行くほど弱くなる態様で、マッピングされる。尚、風量は、所定の段階（例えば５段階）で設定可能であってよく、この場合、タッチ操作ディスプレイ１０の操作面は、縦軸方向にＮ個に等分割されてマッピングされてもよい。同様に、好ましくは、温度は、図３に示すように、タッチ操作ディスプレイ１０の操作面において、右側に行くほど高くなり、左側に行くほど低くなる態様で、マッピングされる。尚、温度は、所定の設定温度範囲（例えば、１６度から３０度）内で所定の設定幅（例えば０．５℃単位）で設定可能であってよく、この場合、タッチ操作ディスプレイ１０の操作面は、横軸方向にＭ個に等分割されてマッピングされてもよい。尚、１６度〜３０度の設定温度範囲内で０．５℃の設定幅で設定可能な構成では、Ｍは、（３０−１６）／０．５＋１＝２９となる。尚、設定温度範囲は、暖房時と冷房時とで異なるように可変されてもよい。
【００１９】
このようにして、図３に示す例によれば、所望の風量と温度を１回の操作で同時に設定することが可能となる。例えば、真夏などで直ぐに車内を冷やしたいとき、ユーザは、タッチ操作ディスプレイ１０上の左上（２次元位置）を指示（例えばタッチ）することで、最大風量と最低温度を同時に指示（設定）することができる。また、真冬などで直ぐに車内を暖めたいとき、ユーザは、タッチ操作ディスプレイ１０上の右上（２次元位置）をタッチすることで、最大風量と最高温度を同時に指示（設定）することができる。また、風量の大きい側と温度の高い側がタッチ操作ディスプレイ１０の操作面の上側と右側に設定されるので、一般的な人の感覚に一致し、操作性が良好である。但し、風量の大きい側及び／又は温度の高い側がタッチ操作ディスプレイ１０の操作面の下側及び／又は左側に設定されてもよい。
【００２０】
尚、図３に示す例では、縦軸には、風量の強弱が、横軸には、温度の高低がそれぞれマッピングされているが、逆であってもよい。即ち、縦軸には、温度の高低が、横軸には、風量の強弱がそれぞれマッピングされてもよい。この場合も同様に、温度は、上側に行くほど高くなり、下側に行くほど低くなる態様で、マッピングされてよく、風量は、右側に行くほど強くなり、左側に行くほど弱くなる態様で、マッピングされてよい。
【００２１】
尚、図３は、あくまでマッピング方法の一例を示す図であるので、タッチ操作ディスプレイ１０の操作面には、特段の表示が出力されていない。しかしながら、タッチ操作ディスプレイ１０の操作面には、以下で図４等を参照して説明するような情報表示７０が出力されてもよい。
【００２２】
図４は、タッチ操作ディスプレイ１０の表示画面に出力される操作画面（風量・温度設定画面）の一例を示す平面図であり、情報表示７０の出力態様の一例を示す図である。尚、本例では、タッチ操作ディスプレイ１０は、操作機能と表示機能を一体化して備えるので、タッチ操作ディスプレイ１０の表示画面は、タッチ操作ディスプレイ１０の操作面に対応する領域に画成される。
【００２３】
タッチ操作ディスプレイ１０の表示画面には、ユーザ入力により指示される２次元位置に、情報表示７０が出力される。図４（Ａ）に示す例では、タッチ操作ディスプレイ１０上の右上（２次元位置）がユーザにより指示され、これに応じて、タッチ操作ディスプレイ１０上の右上（即ち、ユーザにより指示された２次元位置）に、情報表示７０が出力されている。また、図４（Ｂ）に示す例では、タッチ操作ディスプレイ１０上の左下がユーザにより指示され、これに応じて、タッチ操作ディスプレイ１０上の左下に、情報表示７０が出力されている。このように、情報表示７０の表示位置は、タッチ操作ディスプレイ１０上でユーザにより指示された２次元位置に応じて可変される。これにより、ユーザは、タッチ操作ディスプレイ１０上における情報表示７０が表示されている２次元位置に基づいて、現在の設定状態を把握することができる。
【００２４】
ここで、情報表示７０は、任意の表示であってよいが、好ましくは、２つの制御パラメータ（本例では、風量と温度）の少なくとも一方を直接的又は間接的に表す。また、情報表示７０は、アイコンの形態の表示であってもよい。例えば、図４に示す例では、情報表示７０は、羽を模した表示（以下、羽表示という）７２を含む。この羽表示７２は、図４（Ａ）及び（Ｂ）で対比して分かるように、指示（設定）される風量が大きいほどサイズが大きくなる態様で出力される。即ち、羽表示７２は、タッチ操作ディスプレイ１０の表示画面において、上側に行くほど大きくなり、下側に行くほど小さくなる態様で出力される。これにより、ユーザは、タッチ操作ディスプレイ１０の表示画面上の羽表示７２の大きさを見て、直感的に、その位置（縦軸方向の位置）で設定される風量を把握することができる。
【００２５】
また、図４に示す例では、情報表示７０は、ユーザ入力により指示される２次元位置に応じて設定される温度を表す数字表示７４を含む。従って、数字表示７４は、タッチ操作ディスプレイ１０の表示画面において、右側に行くほど数字が大きくなり、左側に行くほど数字が小さくなる態様で出力される。これにより、ユーザは、タッチ操作ディスプレイ１０の表示画面上の数字表示７４の数字を見て、直感的に、その位置（横軸方向の位置）で設定される温度を把握することができる。尚、数字表示７４は、図４（Ａ）及び（Ｂ）で対比して分かるように、指示（設定）される風量が大きいほどサイズが大きくなる態様で出力されてもよい。即ち、数字表示７４は、指示（設定）される温度に加えて、指示（設定）される風量を表す態様で出力されてもよい。
【００２６】
尚、情報表示７０は、図４に示した例に限られず、多様な態様で実現可能である。例えば、図４に示した例において、情報表示７０は、羽表示７２及び数字表示７４のいずれか一方を省略してもよいし、いずれか一方又は双方の大きさの変更が省略されてもよい。また、図４に示した例では、羽表示７２は、円形の枠表示により囲まれているが、かかる円形の枠表示は省略されてもよい。或いは、図４に示した例において、羽表示７２は、送風機の羽の回転を直感的に表すように、それ自体が回転されてもよい。即ち、羽表示７２は、その中心位置を軸として回転する態様で出力されてもよい。この場合、羽表示７２の回転速度（回転数）は、指示（設定）される風量が大きいほど速くなる態様で変化されてもよい。即ち、羽表示７２は、タッチ操作ディスプレイ１０の表示画面において、上側に行くほど回転速度が速くなり、下側に行くほど回転速度が遅くなる態様で出力される。これにより、ユーザは、タッチ操作ディスプレイ１０の表示画面上の羽表示７２の回転速度を見て、直感的に、その位置（縦軸方向の位置）で設定される風量を把握することができる。
【００２７】
尚、情報表示７０は、図４に模式的に示すように、タッチ操作ディスプレイ１０の表示画面上で、ユーザがドラッグしながら移動させる表示であってよい。この場合、情報表示７０は、サイズ等が変化しながら、ユーザの所望の位置まで移動されることになる。或いは、情報表示７０は、ユーザがタッチした位置まで瞬時に移動する表示であってもよい。また、情報表示７０は、風量・温度設定画面の呼び出し時においては、デフォルト位置に出力されてもよいし、前回の設定位置に出力されてもよいし、或いは、外気温や内気温等のセンサ値から推測して算出される最適位置（推奨位置）に出力されてもよい。
【００２８】
図５は、タッチ操作ディスプレイ１０の表示画面を示す平面図であり、表示画面上の背景表示７６の出力態様の一例を示す図である。尚、図５に示す背景表示７６は、図４に示す例に適用されてもよい（即ち、図４に示す例と組み合わせてられてもよい）。即ち、背景表示７６は、図４に示すような情報表示７０の背景表示として出力されてもよい。
【００２９】
図５に示す例では、背景表示７６は、タッチ操作ディスプレイ１０上の操作面での温度のマッピング態様に応じた色変化（グラデーション）を備える。図５は、都合上、カラーの図面ではないが、具体的には、背景表示７６は、タッチ操作ディスプレイ１０の表示画面において、右側に行くほど赤色が濃くなり、左側に行くほど青色が濃くなる態様で出力される。尚、赤色と青色の境界には、任意の薄い色（例えば、黄色）のグラデーションが使用されてもよい。これにより、ユーザは、タッチ操作ディスプレイ１０の表示画面上の背景表示７６の色を見て、直感的に、その位置（横軸方向の位置）で設定される温度を把握することができる。
【００３０】
また、情報表示７０（羽表示７２及び／又は数字表示７４）は、背景表示７６の色変化に合わせて、色が変化する態様で出力されてもよい。即ち、情報表示７０は、タッチ操作ディスプレイ１０の表示画面において、右側に行くほど赤色が濃くなり、左側に行くほど青色が濃くなる態様で着色されてもよい。これにより、ユーザは、タッチ操作ディスプレイ１０の表示画面上の情報表示７０の色を見て、直感的に、その位置（横軸方向の位置）で設定される温度を把握することができる。
【００３１】
図６は、実施例１による処理装置３０により実現される風量・温度設定処理の一例を示すフローチャートである。図６に示す処理ルーチンは、例えばタッチ操作ディスプレイ１０の表示画面上に風量・温度設定画面（図４参照）が呼び出された時に起動され、その後、風量・温度設定画面が他の操作画面や地図表示等に変更されるまで、所定周期毎に繰り返し実行されてよい。尚、風量・温度設定画面が呼び出された時は、所定の初期画面がタッチ操作ディスプレイ１０上に出力されてよい。所定の初期画面では、背景表示７６と共に情報表示７０が表示され、情報表示７０は、上述の如くデフォルト位置等に出力されてもよい。或いは、情報表示７０は、初期画面では表示されず、ユーザの初期操作に応じて出現されてもよい。また、風量・温度設定画面は、ユーザの操作（例えばマニュアルモードの選択操作）に応じて呼び出されてもよい。
【００３２】
ステップ６００では、タッチ操作ディスプレイ１０上においてユーザによる所定の２次元位置の指示操作が検出されたか否かが判定される。所定の２次元位置の指示操作は、タッチ操作ディスプレイ１０の操作面上でのタッチ操作であってもよいし、タッチ操作を伴うドラッグ操作（情報表示７０を移動させる操作）であってもよいし、タッチ操作を伴うスクロール操作であってもよい。２次元位置の指示操作が検出された場合には、ステップ６０２に進み、２次元位置の指示操作が検出されない場合は、次回周期の処理のためステップ６００に戻る。
【００３３】
ステップ６０２では、上記ステップ６００で検出される２次元位置に応じて、タッチ操作ディスプレイ１０上に情報表示７０が表示（又は移動）される。この場合、図４を参照して説明したように、情報表示７０は、上記ステップ６００で検出される２次元位置に応じて、位置や形状等が可変されてもよい。尚、タッチ操作ディスプレイ１０上でユーザにより指示される２次元位置は、任意の態様で検出されてもよい。例えば、タッチ操作ディスプレイ１０を構成する透明導電膜上における接触位置（２次元位置）は、例えば特開２００６−１４７８９５号公報に記載されるように、４つの端子を透明導電膜の四隅に接続して交流を流し、各端子に流れる電流に基づいて検出されてもよい。また、２次元位置の指示操作がスクロール操作である場合は、現在の情報表示７０の表示位置から、当該スクロール操作に応じたスクロール量及びスクロール方向でスクロールされたときの情報表示７０の移動先の位置が、指示された２次元位置に対応してもよい。
【００３４】
ステップ６０４では、上記ステップ６００で検出された２次元位置の指示操作が終了したか否かが判定される。例えば、２次元位置の指示操作が、単なる一回のタッチ操作である場合は、タッチ操作が検出された時点で指示操作が終了したと判定されてもよい。他方、２次元位置の指示操作がドラッグ操作である場合は、ドラッグ操作が完了した時点（情報表示７０から指を離して非接触となった時点）で指示操作が終了したと判定されてもよい。上記ステップ６００で検出された２次元位置の指示操作が終了した場合は、ステップ６０６に進み、それ以外の場合は、ステップ６０２に戻り、継続する２次元位置の指示操作に応じて情報表示７０が移動等される。
【００３５】
ステップ６０６では、現在の情報表示７０の２次元位置に応じて（即ち、上記ステップ６００で検出された指示操作によって指示された２次元位置に応じて）、２つの制御パラメータ（本例では、風量と温度）が設定される。この際、処理装置３０は、図３を参照して説明したような２次元マップ（２次元位置と風量及び温度との関係を規定したマップ）をメモリから参照して、２つの制御パラメータを設定してよい。この際、処理装置３０は、設定した２つの制御パラメータを表す操作信号を生成し、出力してもよい。２つの制御パラメータの設定結果は、空調装置の制御に反映される。即ち、エアコンＥＣＵは、このようにして設定された風量及び温度が実現されるように、各種機器を制御する。この制御の方法や対象機器は、多種多様であり、任意の方法で任意の機器が制御されてもよい。例えば、エアコンＥＣＵは、設定された風量が実現されるように、ブロアモータ（送風機）を制御してもよい。また、エアコンＥＣＵは、設定された温度が実現されるように、エアミックスドアの開度を調整するアクチュエータや、ヒータ、コンプレッサ、電動ウォータポンプ等を制御してもよい。
【００３６】
このように図６に示す処理によれば、ユーザは、所望の風量と所望の温度を設定する際、それぞれの所望の風量と所望の温度に対応する２次元位置をタッチ操作ディスプレイ１０上で指示するだけでよく、所望の風量と所望の温度を１回の操作で同時に設定することができる。これにより、所望の風量と所望の温度をそれぞれ別の操作で行う場合に比べて、操作の手間が省かれ、操作性が向上する。
【００３７】
図７は、本実施例の車両用操作装置１の他の適用例を示す図である。図８は、本適用例のブロック図である。
【００３８】
タッチ操作ディスプレイ１０は、表示機能を内蔵するので単独で使用されてもよいが、図７に示す適用例に示すように、表示ディスプレイ２０と連携して使用されてもよい。この場合、表示ディスプレイ２０は、ユーザが見やすい位置、好ましくは、運転者が運転中の視野を大きく変えることなく見ることができるような位置に配置される。表示ディスプレイ２０は、例えば、インストルメントパネル上面の中央部に配置されてよい。表示ディスプレイ２０は、液晶ディスプレイのような任意の表示装置から構成される。表示ディスプレイ２０は、表示機能のみを有するものであってよい（即ち、タッチ操作が可能でないディスプレイであってよい）。但し、表示ディスプレイ２０は、タッチ操作ディスプレイ１０と同様、タッチ操作が可能なディスプレイであってもよい。尚、表示ディスプレイ２０の画面の大きさは、タッチ操作ディスプレイ１０の画面の大きさよりも大きく設定されてよい。
【００３９】
処理装置３０は、図８に示すように、タッチ操作ディスプレイ１０及び表示ディスプレイ２０に接続される。尚、この接続は、有線であっても無線であってもよく、また、直接的な態様であっても間接的な態様であってもよい。処理装置３０は、タッチ操作ディスプレイ１０及び表示ディスプレイ２０におけるそれぞれの表示の生成及び出力処理を行うと共に、タッチ操作ディスプレイ１０での各種操作に応じた各種機能を実現する処理を行う。また、処理装置３０の機能の一部又は全部は、タッチ操作ディスプレイ１０及び／又は表示ディスプレイ２０に内蔵されてもよい。
【００４０】
図９は、本適用例の処理装置３０により実現される主要処理の一例を示すフローチャートである。図１０は、図９に示す処理に関連した説明図であり、図９に示す処理に関連したタッチ操作ディスプレイ１０及び表示ディスプレイ２０における画面の状態（画面の変化態様）の一例を示す図である。図１０には、タッチ操作ディスプレイ１０側の画面の状態が図の左側に示され、表示ディスプレイ２０側の画面の状態が図の右側に示されている。
【００４１】
図１０を参照しつつ、図９のフローチャートについて説明する。図９に示す処理ルーチンは、例えばイグニッションスイッチがオンされた時に起動され、その後、イグニッションスイッチがオフされるまで、所定周期毎に繰り返し実行されてよい。
【００４２】
尚、呼び出し待ち状態（選択待ち状態）では、図１０のＳ１０００及びＳ１００２に示すように、タッチ操作ディスプレイ１０上では、ランチャ選択画面が出力され、ランチャ項目Ａ’，Ｂ’，Ｃ’，Ｄ’，Ｅ’が呼び出し可能（選択可能）であり、表示ディスプレイ２０上には、ランチャ項目Ａ’，Ｂ’，Ｃ’，Ｄ’，Ｅ’のそれぞれに対応した情報項目Ａ，Ｂ，Ｃ，Ｄ，Ｅが表示されている。ここでは、一例として、ランチャ項目Ｃ’が空調装置の風量及び温度設定機能に対応するものとする。尚、情報項目Ａ，Ｂ，Ｃ，Ｄ，Ｅは、アイコンの形態で表示ディスプレイ２０に表示されてもよく、特に、情報項目Ｃに係るアイコンには、“風量・温度設定”という趣旨の文字表示が付与されてもよい。或いは、情報項目Ｃに係るアイコンには、現在の風量及び温度の設定状態を表す表示が出力されてもよい。
【００４３】
ステップ９００では、タッチ操作ディスプレイ１０上においてスクロール操作が検出されたか否かが判定される。スクロール操作は、表示ディスプレイ２０上の画面及びそれに伴いタッチ操作ディスプレイ１０上の画面を左右方向にスクロールさせるための操作であってよい。タッチ操作ディスプレイ１０上においてスクロール操作が検出された場合は、ステップ９０２に進み、スクロール操作が検出されない場合は、ステップ９０４に進む。
【００４４】
ステップ９０２では、タッチ操作ディスプレイ１０上でのスクロール操作に応答して、表示ディスプレイ２０上の画面がスクロールされると共に、それに連動してタッチ操作ディスプレイ１０上の画面がスクロールされる。例えば、図１０のＳ１０００にて手の動きを模式的に示すように、ユーザがタッチ操作ディスプレイ１０上で指を左から右に動かすと、表示ディスプレイ２０上の画面が右にスクロールされ、これに連動して、タッチ操作ディスプレイ１０上の画面が右にスクロールされる。尚、タッチ操作ディスプレイ１０上での指の移動量や移動速度に応じて、スクロール量が可変されてもよい。このスクロール操作に応じた処理が終了すると、次回周期の処理のためステップ９００に戻る。このようにして、ユーザは、前方側の表示ディスプレイ２０上の画面を見ながら、タッチ操作ディスプレイ１０上でスクロール操作を行うことで、表示ディスプレイ２０上で所望の情報項目を選択可能な位置に移動させることができる。
【００４５】
ステップ９０４では、タッチ操作ディスプレイ１０上においてランチャ項目の選択操作が検出されたか否かが判定される。選択操作は、タッチ操作ディスプレイ１０上で選択可能な複数のランチャ項目から所望の１つのランチャ項目を選択する操作である。選択操作は、タッチ操作ディスプレイ１０上における選択したいランチャ項目をタッチすることで実現されてもよいし、タッチ操作ディスプレイ１０上における選択したいランチャ項目を、タッチしながら画面下方向に移動させる操作（即ち下方向のドラッグ操作）により実現されてもよい。後者の操作は、後述の表示ディスプレイ２０上の特定の情報項目をタッチ操作ディスプレイ１０上に引き込む（移動させる）動作（図１０のＳ１００６，Ｓ１００８参照）と感覚的に対応する。タッチ操作ディスプレイ１０上においてランチャ項目の選択操作が検出された場合、ステップ９０６に進み、選択操作が検出されない場合は、次回周期の処理のためステップ９００に戻る。
【００４６】
尚、タッチ操作ディスプレイ１０上において選択可能なランチャ項目は、その時点でタッチ操作ディスプレイ１０上に表示されているランチャ項目のいずれであってもよい。例えば図１０のＳ１０００に示す画面では、ランチャ項目Ｂ’，Ｃ’，Ｄ’のいずれも選択可能とされてもよい。或いは、タッチ操作ディスプレイ１０上において選択可能なランチャ項目は、その時点で表示ディスプレイ２０上の画面で最も中央に位置する情報項目（図１０のＳ１００２に示す画面では、情報項目Ｃ）に対応するランチャ項目のみであってもよい。この場合、タッチ操作ディスプレイ１０上のどの位置で選択操作（例えば、下方向のドラッグ操作）を行っても、その時点で表示ディスプレイ２０上の画面で最も中央に位置する情報項目が選択されることとしてよい。かかる構成によれば、ユーザは、タッチ操作ディスプレイ１０を見なくても、表示ディスプレイ２０の画面だけを見て所望のランチャ項目の選択操作を行うことができる。従って、この場合、タッチ操作ディスプレイ１０においてランチャ項目の表示は省略されてもよい。
【００４７】
ステップ９０６では、タッチ操作ディスプレイ１０上でのランチャ項目の選択操作に応答して、表示ディスプレイ２０上の画面から、タッチ操作ディスプレイ１０上で選択されたランチャ項目に対応する情報項目が消去される。例えば図１０に示す例では、例えばランチャ項目Ｃ’が選択されると（Ｓ１００４参照）、表示ディスプレイ２０上の画面は、情報項目Ｃを含むＳ１００２に示す画面から、情報項目Ｃが抜けたＳ１００６に示す画面へと遷移する。
【００４８】
ステップ９０８では、タッチ操作ディスプレイ１０上でのランチャ項目の選択操作に応答して、タッチ操作ディスプレイ１０において、選択されたランチャ項目（例えば対応するアプリ）が起動される。この結果、タッチ操作ディスプレイ１０上に、選択されたランチャ項目（即ち選択された情報項目）に対応する操作画面が出力される（図１０のＳ１００８参照）。これにより、上記のステップ９０６の処理と相まって、あたかも表示ディスプレイ２０上の選択された情報項目がタッチ操作ディスプレイ１０上に移動してきたかのような感覚をユーザに与えることができ、タッチ操作ディスプレイ１０と表示ディスプレイ２０との一体感（２つで１つの操作装置を実現しているという感覚）を高めることができる。例えば、ランチャ項目Ｃ’が選択された場合、タッチ操作ディスプレイ１０上には、図４に示したような操作画面（風量・温度設定画面）がダイレクトに出力されてもよい。尚、ランチャ項目Ｃ’が選択された場合は、所定の初期画面（操作画面）が表示ディスプレイ２０上に出力されてよい。表示ディスプレイ２０上の所定の初期画面では、図５に示した背景表示７６と共に図４に示した情報表示７０が表示され、情報表示７０は、上述の如くデフォルト位置等に出力されてもよい。或いは、情報表示７０は、初期画面では表示されず、ユーザの初期操作に応じて出現されてもよい。
【００４９】
ステップ９１０では、タッチ操作ディスプレイ１０上において“戻る”釦の操作（図１０のＳ１０１３参照）が検出されたか否かが判定される。“戻る”釦は、タッチ操作ディスプレイ１０上の操作画面の所定の位置に設定されてもよい。例えば図１０のＳ１０１３に示す画面では、“戻る”釦は、“ＢＡＣＫ”という文字が付された釦で構成され、タッチ操作ディスプレイ１０上の操作画面の端（図示の例では右上の角）に設定されている。“戻る”釦は、上記のステップ９０８で出力する操作画面上に最初から設定されていてもよい。タッチ操作ディスプレイ１０上において“戻る”釦の操作が検出された場合は、ステップ９１４に進み、“戻る”釦の操作が検出されない場合は、ステップ９１１に進む。
【００５０】
ステップ９１１では、選択されたランチャ項目に応じた処理が実行される。ここでは、ランチャ項目Ｃ’が選択された場合が想定され、この場合、ユーザによる２次元位置の指示操作に応じて（図１０のＳ１０１２参照）、図６を参照して説明した風量・温度設定処理が実行される。図６を参照して説明した風量・温度設定処理は、例えば設定終了後にユーザによって行われうる“戻る”釦の操作が検出されると終了し、ステップ９１４に進む。
【００５１】
ステップ９１４では、タッチ操作ディスプレイ１０上での“戻る”釦の操作に応答して、表示ディスプレイ２０上の画面に、上記ステップ９０６で消去した情報項目が復帰される。即ち、表示ディスプレイ２０上の画面を、上記ステップ９０６の処理を行う前の状態に戻す（図１０のＳ１０１４参照）。尚、表示ディスプレイ２０上の画面は、上記ステップ９０６の処理後、本ステップ９１４の処理までの間は、上記ステップ９０６の処理後の状態、即ち選択された情報項目が消去された状態（図１０のＳ１００６参照）が維持されてもよい。
【００５２】
ステップ９１６では、タッチ操作ディスプレイ１０上での“戻る”釦の操作に応答して、タッチ操作ディスプレイ１０上の画面が、風量・温度設定画面（図４参照）からランチャ選択画面（図１０のＳ１０００又はＳ１００４参照）に戻され、次回周期の処理のためステップ９００に戻る。これにより、上記のステップ９１４の処理と相まって、あたかもタッチ操作ディスプレイ１０上の操作画面が表示ディスプレイ２０上に戻されるかのような感覚をユーザに与えることができ、タッチ操作ディスプレイ１０と表示ディスプレイ２０との一体感を高めることができる。
【００５３】
図１１は、本発明の他の一実施例（実施例２）による車両用操作装置２のタッチパネル１１と表示ディスプレイ２０の配置状態の一例を示す概略図である。図１２は、本実施例２による車両用操作装置２の主要構成のブロック図である。
【００５４】
車両用操作装置２は、図１２に示すように、タッチパネル１１と、表示ディスプレイ２０と、処理装置３１とを含む。本実施例２は、タッチパネル１１と表示ディスプレイ２０とが協動して、空調装置の風量及び温度設定用の操作パネルとして機能する点が、上述の実施例１と異なる。即ち、本実施例２では、操作パネルの表示機能が、表示ディスプレイ２０により実現され、従って、操作パネルは、表示画面を遠隔位置（表示ディスプレイ２０）に備える。尚、情報表示７０及び背景表示７６については、表示ディスプレイ２０上に表示される点で異なるが、表示態様等は上述の実施例１で説明した通りであってよい。以下では、実施例２に特有な構成のみを主に説明する。
【００５５】
タッチパネル１１は、それ自体、表示機能を備えない。タッチパネル１１は、図１１に示すように、ユーザが操作しやすい位置、好ましくは、運転者が手を伸ばすだけで操作できるような位置に配置される。タッチパネル１１は、例えば、センターコンソール部に配置されてよいし、インストルメントパネルに配置されてもよい。タッチパネル１１におけるタッチ操作を検出する原理は、任意であり、感圧式であってもよいし、静電式であってもよい。尚、タッチ操作は、人の手によるタッチ操作や、ペン（スタイラス）などの器具によるタッチ操作を含んでよい。タッチパネル１１は、図３を参照して説明したタッチ操作ディスプレイ１０と同様、２次元に延在する操作面を備え、風量と温度は、それぞれの軸方向にマッピングされ、全体として、２次元マップが画成される。
【００５６】
表示ディスプレイ２０は、構成や配置については、図７を参照して説明した表示ディスプレイ２０と同様であってよい。
【００５７】
処理装置３１は、構成自体は、上述の実施例１の処理装置３０と同様であってよい。処理装置３１は、図１２に示すように、タッチパネル１１及び表示ディスプレイ２０に接続される。尚、この接続は、有線であっても無線であってもよく、また、直接的な態様であっても間接的な態様であってもよい。処理装置３１は、表示ディスプレイ２０における表示の生成及び出力処理を行うと共に、タッチパネル１１での各種操作に応じた各種機能を実現する処理を行う。また、処理装置３０の機能の一部又は全部は、タッチパネル１１及び／又は表示ディスプレイ２０に内蔵されてもよい。
【００５８】
図１３は、実施例２による処理装置３１により実現される風量・温度設定処理の一例を示すフローチャートである。
【００５９】
図１３に示す処理ルーチンは、例えば表示ディスプレイ２０上に風量・温度設定画面（図４参照）が呼び出された時に起動され、その後、風量・温度設定画面が他の操作画面や地図表示等に変更されるまで、所定周期毎に繰り返し実行されてよい。尚、風量・温度設定画面が呼び出された時は、所定の初期画面が表示ディスプレイ２０上に出力されてよい。表示ディスプレイ２０上の所定の初期画面では、図５に示した背景表示７６と共に図４に示した情報表示７０が表示され、情報表示７０は、上述の如くデフォルト位置等に出力されてもよい。或いは、情報表示７０は、初期画面では表示されず、ユーザの初期操作に応じて出現されてもよい。また、風量・温度設定画面は、ユーザの操作（例えばマニュアルモードの選択操作）に応じて呼び出されてもよい。
【００６０】
ステップ１３００では、タッチパネル１１上において所定の２次元位置の指示操作が検出されたか否かが判定される。所定の２次元位置の指示操作は、タッチパネル１１の操作面上でのタッチ操作であってもよいし、タッチ操作を伴うドラッグ操作（情報表示７０を移動させる操作）であってもよいし、タッチ操作を伴うスクロール操作であってもよい。２次元位置の指示操作が検出された場合には、ステップ１３０２に進み、２次元位置の指示操作が検出されない場合は、次回周期の処理のためステップ１３００に戻る。
【００６１】
ステップ１３０２では、上記ステップ１３００で検出される２次元位置に応じて、表示ディスプレイ２０上に情報表示７０が表示（又は移動）される。この場合、図４を参照して説明したように、情報表示７０は、上記ステップ１３００で検出される２次元位置に応じて、位置や形状等が可変されてもよい。尚、タッチパネル１１上でユーザにより指示される２次元位置は、任意の態様で検出されてもよい。
【００６２】
ステップ１３０４では、上記ステップ１３００で検出された２次元位置の指示操作が終了したか否かが判定される。上記ステップ１３００で検出された２次元位置の指示操作が終了した場合は、ステップ１３０６に進み、それ以外の場合は、ステップ１３０２に戻り、継続する２次元位置の指示操作に応じて情報表示７０が移動等される。
【００６３】
ステップ１３０６では、現在の情報表示７０の２次元位置に応じて（即ち、上記ステップ１３００で検出された指示操作によって指示された２次元位置に応じて）、２つの制御パラメータ（本例では、風量と温度）が設定される。この際、処理装置３１は、図３を参照して説明したような２次元マップ（２次元位置と風量及び温度との関係を規定したマップ）をメモリから参照して、２つの制御パラメータを設定してよい。この設定結果は、空調装置の制御に反映される。
【００６４】
このように図１３に示す処理によっても、ユーザは、所望の風量と所望の温度を設定する際、それぞれの所望の風量と所望の温度に対応する２次元位置をタッチパネル１１上で指示するだけでよく、所望の風量と所望の温度を１回の操作で同時に設定することができる。これにより、所望の風量と所望の温度をそれぞれ別の操作で行う場合に比べて、操作の手間が省かれ、操作性が向上する。また、本実施例２では、運転席に対して近い側に操作部（タッチパネル１１）を配置し、運転席に対して遠い側（車両前方側）に表示部（表示ディスプレイ２０）を配置するので、ユーザは、車両前方側の表示ディスプレイ２０上の表示を見ながら、手元側のタッチパネル１１での操作が可能な場合となる。尚、本実施例２において、タッチパネル１１を操作するユーザの手の画像をカメラで撮像し、当該手の画像又はそれに基づく手の表示を、操作画面を表示する表示ディスプレイ２０に重畳表示する構成としてもよい。かかる構成によれば、タッチパネル１１上での自分の手の位置が表示ディスプレイ２０を見て分かるので、いわゆるブラインド操作により風量と温度の設定が可能となる。
【００６５】
以上、本発明の好ましい実施例について詳説したが、本発明は、上述した実施例に制限されることはなく、本発明の範囲を逸脱することなく、上述した実施例に種々の変形及び置換を加えることができる。
【００６６】
例えば、上述した実施例では、好ましい実施例として、２つの制御パラメータは、空調装置の風量と温度である。これは、空調装置の風量と温度は、空調装置の制御パラメータとして互いに関連しつつ、互いに独立して設定可能なパラメータであるためである。しかしながら、２つの制御パラメータは、互いに独立して設定可能であれば、任意であってよい。例えば、２つの制御パラメータは、シートの前後位置（シートを前後に移動させるアクチュエータの制御パラメータ）と、シートの背もたれの角度（シートの背もたれの角度を変更させるアクチュエータの制御パラメータ）であってもよい。また、２つの制御パラメータは、車載オーディオのボリュームと、音楽再生時のテンポ（リズム）の速さ又はキーの高低であってもよい。また、２つの制御パラメータは、ＴＶのボリュームと、映像の輝度の高低であってもよい。また、２つの制御パラメータは、サスペンション装置の硬さ（減衰率）と、車高の高低であってよい。尚、２つの制御パラメータは、ナビゲーション装置の地図表示上で設定される目的地の緯度と経度は含まない。これは、かかる緯度と経度は、制御パラメータとはいえないためである。
【００６７】
また、上述した実施例では、２つの制御パラメータは、タッチ操作ディスプレイ１０（又はタッチパネル１１、以下同じ）の表示枠内でマッピングされているが、表示枠外にもマッピングされてもよい。この場合、スクロール操作により表示枠外の値が設定可能とされてもよい。また、例えば長押し操作や、画面をタッチした２つの指を上下又は左右に広げる操作に応答して、タッチ操作ディスプレイ１０の操作画面の特定領域が拡大表示されてもよい。例えば、図４に示す操作画面において、操作画面をタッチした２つの指を左右に広げる操作に応答して、操作画面の横軸方向の拡大が実現されてもよい。これにより、例えば横軸方向の制御パラメータの設定分解能が高い場合でも、所望の値の指示することが容易となる。
【００６８】
また、上述した実施例では、空調装置の風量と温度について、それぞれの所望の値が１組だけ設定可能であるが、時間の経過に伴うそれぞれの所望の値の変化が設定可能されてもよい。例えば、初期的には急激に冷やしたい（又は暖めたい）ので風量を大きくしたいが、ある程度冷えてきたら（又は暖かくなってきたら）風量を減らしたいというユーザのために、初期の所望値と、定常時の所望値とが、タッチ操作ディスプレイ１０上で設定可能とされてもよい。この場合、上述の情報表示７０が初期用と定常時用とで２つ表示され、タッチ操作ディスプレイ１０（又は表示ディスプレイ２０）上でそれぞれを所望の二次元位置に移動させることで、かかる設定が実現されてもよい。
【００６９】
また、上述した実施例では、好ましい実施例として、車両用操作装置１が例示されているが、他の用途の操作装置（例えば、家庭用エアコンや業務用エアコンの操作装置）として具現化されてもよい。
【符号の説明】
【００７０】
１、２    車両用操作装置
１０    タッチ操作ディスプレイ
１１    タッチパネル
２０    表示ディスプレイ
３０、３１    処理装置
７０    情報表示
７２    羽表示
７４    数字表示
７６    背景表示
Ａ，Ｂ，Ｃ，Ｄ，Ｅ    情報項目
Ａ’，Ｂ’，Ｃ’，Ｄ’，Ｅ’    ランチャ項目
【図１】
2013014212.tif 000003
【図２】
2013014212.tif 000004
【図３】
2013014212.tif 000005
【図４】
2013014212.tif 000006
【図５】
2013014212.tif 000007
【図６】
2013014212.tif 000008
【図７】
2013014212.tif 000009
【図８】
2013014212.tif 000010
【図９】
2013014212.tif 000011
【図１０】
2013014212.tif 000012
【図１１】
2013014212.tif 000013
【図１２】
2013014212.tif 000014
【図１３】
2013014212.tif 000015